(57)【要約】【課題】本発明は、変形し難く、意匠性にすぐれ、遊技性の向上を図ることのできる遊技機用障害物及びこれを具えた遊技機を提供する。【解決手段】本発明に係る遊技機用障害物３０は、遊技機１０の遊技盤１２又は遊技盤に取り付けられる樹脂製パーツ２０に装着される遊技機用障害物であって、金属薄板から形成され、細幅の舌状片３２と、前記舌状片の長手方向一端から突設された一対の係止片３４，３４であって、先端に内向きに突出した抜止め部３６，３６の形成された一対の係止片と、前記一対の係止片間に形成された係止溝３５と、を具える。【選択図】図４
2016030141.tif 000002
【特許請求の範囲】
【請求項１】
遊技機の遊技盤又は遊技盤に取り付けられる樹脂製パーツに装着される遊技機用障害物であって、
金属薄板から形成され、
細幅の舌状片と、
前記舌状片の長手方向一端から突設された一対の係止片であって、先端に内向きに突出した抜止め部の形成された一対の係止片と、
前記一対の係止片間に形成された係止溝と、
を具える、ことを特徴とする遊技機用障害物。
【請求項２】
前記抜止め部は、内面間の距離が先端に向けて拡大したテーパ部を有する、
請求項１に記載の遊技機用障害物。
【請求項３】
前記舌状片の長さは１６ｍｍ〜２０ｍｍ、幅は４ｍｍ〜６ｍｍである、
請求項１又は請求項２に記載の遊技機用障害物。
【請求項４】
前記金属薄板の厚さは、０．８ｍｍ〜１．２ｍｍである、
請求項１乃至請求項３の何れかに記載の遊技機用障害物。
【請求項５】
前記係止片の幅は、０．８ｍｍ〜１．５ｍｍである、
請求項１乃至請求項４の何れかに記載の遊技機用障害物。
【請求項６】
前記抜止め部は、前記係止片から０．３〜０．８ｍｍ内向きに突出している、
請求項１乃至請求項５の何れかに記載の遊技機用障害物。
【請求項７】
前記金属薄板は、真ちゅう、ステンレス鋼、洋白の何れかである、
請求項１乃至請求項６の何れかに記載の遊技機用障害物。
【請求項８】
請求項１乃至請求項７の何れかに記載の遊技機用障害物を装着してなる遊技盤又は遊技盤に取り付けられる樹脂製パーツを具える遊技機であって、
前記遊技盤又は前記樹脂製パーツには、前記舌状片の前記長手方向一端が挿入される溝部と、前記溝部に貫通開設され、前記係止片が挿入される一対の差込孔が形成されており、前記差込孔は、前記係止片を前記差込孔に差し込んだときに、前記抜止め部が前記差込孔から臨出する深さであり、前記差込孔どうしの間隔は、前記係止溝の幅に対応している、装着部を有し、
前記遊技機用障害物は、前記溝部側から前記係止片を前記差込孔に挿入し、前記抜止め部が前記差込孔を越えることで前記装着部に装着される、
ことを特徴とする遊技機。
【発明の詳細な説明】
【技術分野】
【０００１】
本発明は、球を遊技盤上で落下させた際に球の反発軌道に変化を付けることのできる遊技機用障害物に関するものである。
【背景技術】
【０００２】
パチンコやスマートボールなどの遊技機では、打ち出された球（パチンコ玉）を遊技盤上で落下させ、入賞口やアタッカーに入賞させることで遊技が行なわれる。
【０００３】
遊技盤上には、パチンコ玉の落下方向や速度に変化を付ける遊技釘、風車の如き遊技機用障害物が複数配置されている。そして、これらの遊技機用障害物にパチンコ玉が衝突することで、パチンコ玉の反発軌道に変化が生じ、遊技性を高めることができる（たとえば、特許文献１、特許文献２参照）。
【０００４】
遊技釘は、遊技盤に直接打設される。遊技釘の軸は、ビッカーズ硬度が１５０Ｈｖ以上２３０Ｈｖ以下である真ちゅう又はこれと同等の硬度を有する金属であって容易に錆びず、かつ、折れない性質のものが使用されている。
【先行技術文献】
【特許文献】
【０００５】
【特許文献１】特開２００４−１４７８６５号公報
【特許文献２】特開２００５−２５４０２０号公報
【発明の概要】
【発明が解決しようとする課題】
【０００６】
遊技機用障害物として、遊技釘は多々提案、実用化されているが、これら遊技釘は、パチンコ玉が繰り返し衝突することで変形してしまうことがある。このような場合、遊技釘の頭部をハンマー等で調整する必要があるが、遊技釘は各遊技台に多数打設されており、その調整に時間が掛かる問題がある。
【０００７】
また、遊技釘の頭部は、軸部に比べて拡大しているから、遊技盤を正面視したときに遊技釘の密集している部分は、意匠性が低下してしまうという問題もある。
【０００８】
さらに、遊技釘は、軸部が断面円形であるため、遊技釘に当たったパチンコ玉は、遊技者の予測を超えるような反発軌道を描くことはないから、遊技性の向上を図ることが困難であった。
【０００９】
本発明の目的は、変形し難く、意匠性にすぐれ、遊技性の向上を図ることのできる遊技機用障害物及びこれを具えた遊技機を提供することである。
【課題を解決するための手段】
【００１０】
上記課題を解決するために、本発明に係る遊技機用障害物は、
遊技機の遊技盤又は遊技盤に取り付けられる樹脂製パーツに装着される遊技機用障害物であって、
金属薄板から形成され、
細幅の舌状片と、
前記舌状片の長手方向一端から突設された一対の係止片であって、先端に内向きに突出した抜止め部の形成された一対の係止片と、
前記一対の係止片間に形成された係止溝と、
を具える。
【００１１】
また、本発明に係る遊技機は、
上記遊技機用障害物を装着してなる遊技盤又は遊技盤に取り付けられる樹脂製パーツを具える遊技機であって、
前記遊技盤又は前記樹脂製パーツには、前記舌状片の前記長手方向一端が挿入される溝部と、前記溝部に貫通開設され、前記係止片が挿入される一対の差込孔が形成されており、前記差込孔は、前記係止片を前記差込孔に差し込んだときに、前記抜止め部が前記差込孔から臨出する深さであり、前記差込孔どうしの間隔は、前記係止溝の幅に対応している、装着部を有し、
前記遊技機用障害物は、前記溝部側から前記係止片を前記差込孔に挿入し、前記抜止め部が前記差込孔を越えることで前記装着部に装着される。
【発明の効果】
【００１２】
本発明の遊技機用障害物は、舌状片が金属薄板により平板形状に形成されているから、十分な硬度を有する。従って、球（パチンコ玉）が繰り返し衝突しても変形し難い。従って、調整等を不要又はその頻度を可及的に少なくすることができる。
【００１３】
また、舌状片は、金属薄板であるため、遊技釘のように拡大した頭部はない。従って、遊技盤を正面視した場合の意匠性を損ねることがない。
【００１４】
さらに、本発明の遊技機用障害物は、平板状であるから、角に球が当たるか、平坦部に球が当たるかによって、遊技者の予測できないような反発軌道を描く。従って、遊技性の向上を図ることができる。
【図面の簡単な説明】
【００１５】
【図１】図１は、本発明に係る遊技機用障害物を装着した遊技機の一実施形態を示す正面図である。
【図２】図２は、本発明の一実施形態に係る遊技機用障害物の平面図である。
【図３】図３は、図２の線Ａ−Ａに沿う断面図である。
【図４】図４は、本発明の遊技機用障害物を樹脂製パーツに装着した状態を示す斜視図である。
【図５】図５は、図４の線Ｂ−Ｂに沿う断面図である。
【図６】図６は、本発明の遊技機用障害物にパチンコ玉が衝突したときの反発方向の例を示す説明図である。
【発明を実施するための形態】
【００１６】
以下、図面を参照しながら本発明の遊技機用障害物３０及びこれを具える遊技機１０について説明する。なお、遊技機１０としてパチンコ台を例示して説明する。また、本実施形態では、遊技機１０に打設された遊技釘１３の一部を本発明の遊技機用障害物３０に変えた例について説明する。
【００１７】
図１は、遊技機１０の一実施形態を示している。図１に示すように遊技機１０は、遊技域となる遊技盤１２を具える。遊技盤１２は、セル盤とも称され、ベニヤ板などの合板から作製することができる。遊技盤１２には、遊技釘１３、風車１４、入賞口１５、アタッカー１６、チャッカー１７、アウト口１８などが設けられている。遊技釘１３は遊技盤１２に直接打設されており、風車１４も釘により打設されている。なお、図１は一例であり、図面が煩雑になることを防ぐために遊技釘１３等を大幅に省略している。遊技盤１２の前面には所定の間隔を存してガラス板が配置されている。
【００１８】
図示の実施形態では、入賞口１５、アタッカー１６等は、たとえば樹脂製パーツ２０に形成し、樹脂製パーツ２０を遊技盤１２に取り付けている。
【００１９】
本発明の遊技機用障害物３０は、遊技盤１２に直接装着したり、樹脂製パーツ２０に装着することができる。遊技機用障害物３０の装着位置や位置、装着角度は、適宜設定することができる。
【００２０】
図２及び図３は、本発明の遊技機用障害物３０の平面図及び断面図である。また、図４及び図５は、樹脂製パーツ２０に遊技機用障害物３０を装着した斜視図及び断面図である。
【００２１】
遊技機用障害物３０は、細幅の舌状片３２と、舌状片３２の長手方向の一端から突設された一対の係止片３４，３４を具える。係止片３４，３４間には、係止溝３５が形成されており、係止片３４，３４の先端には、内向きに突出した抜止め部３６，３６が夫々形成されている。係止片３４，３４は、側縁が舌状片３２の側縁から幅方向にはみ出さないように形成することが好適であり、望ましくは、図示のように、舌状片３２と係止片３４の側縁が直線状となるようにする。
【００２２】
一方、遊技機用障害物３０が装着される樹脂製パーツ２０又は遊技盤１２には、図４及び図５に示すように、遊技機用障害物３０の装着部２２が形成されている。装着部２２は、図５に示すように、横長の溝部２３と一対の差込孔２４，２４から形成することができる。
【００２３】
溝部２３は、樹脂製パーツ２０又は遊技盤１２の表面側で開口する有底の溝であって、溝部２３の上下方向の高さは、遊技機用障害物３０の厚さと略同じとなるように形成されている。溝部２３の左右方向の幅は、遊技機用障害物３０の幅と略同じ又はこれより広く形成する。また、溝部２３の前後方向の深さは、０．５ｍｍ〜２ｍｍ程度とする。この深さについては、遊技機用障害物３０が装着される樹脂製パーツ２０又は遊技盤１２の厚さによって決定することができ、これらの強度を維持するためにこれらの厚さの１／２〜３／４を最大とすることが好適である。
【００２４】
また、差込孔２４，２４は、遊技機用障害物３０の係止片３４，３４が貫通する孔であり、溝部２３の底面に形成されている。差込孔２４，２４間は、図５に示すように隔壁２５によって仕切られている。差込孔２４，２４は、溝部２３と略同じ高さを有し、係止片３４，３４及び抜止め部３６，３６が通過できる幅に形成される。差込孔２４，２４どうしの間隔、即ち隔壁２５の幅は、係止片３４，３４間、即ち係止溝３５の幅と略同じに形成される。
【００２５】
上記した遊技機用障害物３０は、金属薄板から形成することができ、たとえば打ち抜き加工により作製することができる。金属薄板を構成する金属材料として、真ちゅう、ステンレス鋼、洋白（銅、ニッケル及び亜鉛を主成分とする合金）など錆び難く、折れ難い材料を例示することができ、金属材料は、ビッカーズ硬度２００Ｈｖ以上が好適である。もちろん、これら金属材料に限定されるものではない。金属薄板の厚さは、所定の強度を維持するために０．８ｍｍ〜１．２ｍｍとすることが望ましい。
【００２６】
遊技機用障害物３０について、さらに詳細に説明すると、舌状片３２は、樹脂製パーツ２０に装着した状態で遊技盤１２に取り付けられたときに、先端がガラス板の近傍まで延びる長さとすることができる。なお、遊技機用障害物３０は、舌状片３２の一部が樹脂製パーツ２０や遊技盤１２に形成された溝部２３に侵入するように装着されるから、舌状片３２の長さには、溝部２３から露出する球当部３３ａと溝部２３への侵入部３３ｂの長さを含めて作製する。舌状片３２の長さは、長さが１６ｍｍ〜２０ｍｍとすることが好適である。また、舌状片３２の幅は４ｍｍ〜６ｍｍとすることができる。
【００２７】
舌状片３２の先端は、図示では、円弧状としているが、矩形やその他の形状であっても構わない。
【００２８】
舌状片３２の長手方向一端、すなわち、樹脂製パーツ２０や遊技盤１２に挿入される一対の係止片３４，３４は、図２、図３及び図５に示すように、係止片３４，３４間に係止溝３５を存して略平行に延びている。係止片３４，３４は、樹脂製パーツ２０や遊技盤１２に形成された一対の差込孔２４，２４に嵌まる。係止片３４，３４の幅は、夫々０．８ｍｍ〜１．５ｍｍとすることが望ましい。
【００２９】
係止片３４，３４の先端には、内向きに抜止め部３６，３６が夫々突設されている。抜止め部３６，３６は、図５に示すように、係止片３４，３４を差込孔２４，２４に差し込んだときに、樹脂製パーツ２０又は遊技盤１２の裏面側に臨出し、差込孔２４，２４間の隔壁２５の裏面に引っ掛かって、遊技機用障害物３０の脱落を防ぐ。これらのクリアランスを小さくすることで、遊技機用障害物３０のぐらつきも防止することができる。抜止め部３６，３６は、係止片３４，３４から０．３〜０．８ｍｍ内向きに突出するように構成することが好適である。抜止め部３６，３６の突出量が小さいと遊技機用障害物３０の脱落防止効果が低く、また、突出量が大きいと差込孔２４，２４を挿通することが困難になることがあるためである。
【００３０】
なお、係止片３４，３４の先端は、図２及び図５に示すように、抜止め部３６，３６の内面間の距離を先端に向けて拡大させたテーパ部３７，３７とすることで、係止片３４，３４の差込孔２４，２４への差し込みを容易に行なうことができる。
【００３１】
上記構成の遊技機用障害物３０は、樹脂製パーツ２０又は遊技盤１２に形成された溝部２３を通じて、係止片３４，３４を差込孔２４，２４に挿入すると、抜止め部３６，３６が隔壁２５の前面角部に当たって係止片３４，３４が全体的に開く。この状態で、さらに遊技機用障害物３０を押し込むことで、図５に示すように、抜止め部３６，３６が差込孔２４，２４を貫通して隔壁２５を乗り越え、隔壁２５の裏面に引っ掛かって装着される。すなわち、遊技機用障害物３０は、装着部２２に押し込むだけで容易に樹脂製パーツ２０又は遊技機１２に装着することができる。この作業は手作業でも行なうことができ、作業効率は遊技釘の場合に比べて可及的に向上する。
【００３２】
遊技機用障害物３０は装着状態にて、舌状片３２の侵入部３３ｂが溝部２３に当接し、係止片３４，３４が差込孔２４，２４に当接するから、上下方向のぐらつきを防止できる。また、係止溝３５を構成する係止片３４，３４の内面が、隔壁２５と当接することで横方向のぐらつきを防止できる。さらに、抜止め部３６，３６が隔壁２５の裏面に当接しており、係止片３４，３４の基端側の内面が隔壁２５の表面に当接することで、前後方向のぐらつきも防止できる。従って、樹脂製パーツ２０又は遊技盤１２への装着状態において、遊技機用障害物３０はぐらつくことなく、しっかりと固定される。
【００３３】
遊技機用障害物３０が樹脂製パーツ２０に装着された場合には、樹脂製パーツ２０を遊技盤１２にネジ止め等により取り付けられることで、遊技機１０が作製される。
【００３４】
そして、遊技に際し、打ち出された球が遊技機用障害物３０に衝突すると、図６に矢印で示すように、衝突する位置、衝突する角度によって、種々の方向、角度で反発する。このような反発軌道は、従来の丸軸状の遊技釘とは異なるものであり、遊技者は予測し難いので、遊技性を向上させることができる。
【００３５】
なお、遊技機用障害物３０を金属薄板で形成することにより、遊技機用障害物３０に弾性を具備させることができるから、球が球当部３３ａ衝突したときに遊技機用障害物３０が弾性変形し、球をさらに予測し難い方向、速度で反発させることができる。
【００３６】
また、遊技機用障害物３０を金属薄板で形成することにより、十分な硬度を具備することができるから、球が繰り返し衝突しても変形し難い。従って、遊技機用障害物３０は、その調整等を不要又はその頻度を可及的に少なくすることができる利点もある。
【００３７】
さらに、遊技機用障害物３０は、従来の遊技釘のように先端に頭部がないから、正面視したときにすっきりしており、意匠性を高めることができる。
【００３８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３９】
たとえば、上記実施形態では、係止片３４，３４、差込孔２４，２４は、左右同じ幅であるが、一方の係止片とこれが嵌まる差込孔を他方と異なるようにすることで、差し込み方向を一定にすることができる。
【００４０】
なお、上記実施形態では、装着部２２に溝部２３を凹設しているが、差込孔２４，２４だけでぐらつくことなく遊技機用障害物３０を固定できる場合には、溝部２３は不要である。
【符号の説明】
【００４１】
１０  遊技機
１２  遊技盤
２０  樹脂製パーツ
２２  装着部
２３  溝部
２４  差込孔
３０  遊技機用障害物
３２  舌状片
３４  係止片
３５  係止溝
３６  抜止め部
【図１】
2016030141.tif 000003
【図２】
2016030141.tif 000004
【図３】
2016030141.tif 000005
【図４】
2016030141.tif 000006
【図５】
2016030141.tif 000007
【図６】
2016030141.tif 000008